(57)【要約】【課題】従来の保護具の構造は、単に首に嵌めて装着する程度であり、安定して保護することは困難である。特に、オートバイ等の転倒時による頚椎の損傷は、人体に長期間にわたり大きな影響を与えることから、首部を効果的に且つ安定的に保護する信頼性の高い保護具が望まれている。特に首部分を効果的に保護すると同時に顎部の保護をも可能とする新規な構造を実現すると共に、装着性に優れた保護具を提供する。【解決手段】人体の首の周辺を保護する人体保護具は、首部の周辺を保護する略Ｕ字状の気室とその気室を覆うカバー体を備え、人体保護具のカバー体の少なくとも一方の端部には前記気室に連通させたインフレータが取り付けられると共に、カバー体には胴衣またはヘルメットとの着脱手段が設けられている。略Ｕ字状の気室及びその気室を覆うカバー体が二つ以上の積層構造で形成され、下層の気室及びその気室を覆うカバー体の両端部には顎部を保護する突出部が形成されている。【選択図】図１
2006257614.tif 000002
【特許請求の範囲】
【請求項１】
人体の首の周辺を保護する人体保護具であって、前記人体保護具は、首部の周辺を保護する略Ｕ字状の気室とその気室を覆うカバー体を備え、該人体保護具のカバー体の少なくとも一方の端部には前記気室に連通させたインフレータが取り付けられると共に、前記カバー体には胴衣またはヘルメットとの着脱手段が設けられていることを特徴とする人体保護具。
【請求項２】
前記略Ｕ字状の気室及びその気室を覆うカバー体が二つ以上の積層構造で形成されることを特徴とする請求項１記載の人体保護具。
【請求項３】
前記下層の気室及びその気室を覆うカバー体の両端部には顎部を保護する突出部が形成されていることを特徴とする請求項１及び請求項２に記載の人体保護具。
【請求項４】
前記下層の気室及びその気室を覆うカバー体は、前記上層の気室及びその気室を覆うカバー体の部分的な下方向への膨張により上方に向けた反力を得て首部の周辺を十分に覆うことを特徴とする請求項１乃至請求項３記載の人体保護具。
【請求項５】
前記インフレータの収納部には胴衣との着脱手段が設けられていることを特徴とする請求項１乃至請求項４記載の人体保護具。
【発明の詳細な説明】
【技術分野】
【０００１】  本発明は、主にスキー、スケート、スノーボード、自転車、オートバイ等の転倒や打撃の可能性がある各種のスポーツ等で使用したり、日常生活においても有益な人体保護具に関する。
【背景技術】
【０００２】  従来より、各種のスポーツ競技を行う人は転倒した時に備えて防具であるプロテクタを身につけることが知られている。これらのプロテクタの多くは、プロテクタ単体を上着の下で身体に直接、装着するか、または、衣類に埋め込んで縫製した衝撃を吸収する柔軟性のある発泡体や、綿等のような緩衝材から構成されている。【０００３】  また、人体の局所を保護するような保護具も知られている。例えば、特許文献１の特開２００２−２９４５０６号には、略Ｕ字状の首部の保護具が示されている。（特許文献１参照）。
【特許文献１】特開２００２−２９４５０６号公報
【発明が解決しようとする課題】
【０００４】  ところが、前述の保護具の構造は、単に首に嵌めて装着する程度であり、安定して保護することは困難である。特に、オートバイ等の転倒時による頚椎の損傷は、人体に長期間にわたり大きな影響を与えることから、首部を効果的に且つ安定的に保護する信頼性の高い保護具が望まれている。
【０００５】  本発明は、特に首部分を効果的に保護すると同時に顎部の保護をも可能とする新規な構造を実現すると共に、装着性に優れた保護具を提供することを目的とする。
【課題を解決するための手段】
【０００６】  上記の目的を達成するために、人体の首の周辺を保護する人体保護具において、この人体保護具を、首部の周辺を保護する略Ｕ字状の気室とその気室を覆うカバー体で形成し、その人体保護具のカバー体の少なくとも一方の端部に気室に連通させたインフレータを取り付け、カバー体には胴衣またはヘルメットとの着脱手段を設けたことを特徴とする。この構造により、極めて簡単な操作で保護具を装着することが可能である。また、インフレータの収納部にも胴衣との着脱手段を設けることで、より安定性を生じさせている。
【０００７】  本発明の人体保護具は、上記の構成において、略Ｕ字状の気室及びその気室を覆うカバー体は二つ以上の積層構造で形成される。これにより、単に単一構造の気室から成る保護具の場合に比較して、二重以上に首部の周辺を保護するため、保護効果が増大する。
【０００８】  また、更に上記の構造において、下層の気室及びその気室を覆うカバー体の両端部には顎部を保護する突出部が形成されている。この構造により、首部だけでなく、従来は保護することのできなかった顎部の保護が可能となった。また、この構造により、前記下層の気室及びその気室を覆うカバー体は、前記上層の気室及びその気室を覆うカバー体の部分的な下方向への膨張により上方に向けた反力を得て首部の周辺を十分に覆うことができる。
【実施例】
【０００９】  以下、図面を参照して、本発明の人体保護具の機能・使用方法について詳説する。【００１０】  実施例の各図面の如く、本発明に係わる人体保護具は、必要に応じて装着し、人体の首の周辺を保護する人体保護具１であり、図１乃至図４は、本発明に係わる人体保護具の第１実施例を示し、図５乃至図７は、本発明に係わる人体保護具の第２実施例を示し、図８乃至図１０は、本発明に係わる人体保護具の第３実施例を示している。【００１１】  第１実施例の図面の如く、その外観形状は、首部の周辺を保護するに適した略Ｕ字状の気室とその気室を覆う柔軟性と伸縮性を有するカバー体２から構成されている。本発明の説明では、簡易的にこのカバー体２と気室を同様に扱っている。このカバー体２の形状は、単に円筒のチューブを略Ｕ字状としたものではなく、図示の如く、非膨張時には人体の肩の部分に載せられる程度の扁平な形状となっている。人体保護具１のカバー体２の少なくとも一方の端部には前記気室に対してチューブ４等で連通させたインフレータ３が取り付けられている。【００１２】  前記インフレータ３は、図示の如く帯状の収納部５により前記カバー体２の一方の端部に垂下されて一体的に固定されている。また、前記カバー体２には、図２の裏面図に図示の如く、胴衣の肩部分へ固定が可能な面ファスナから成る着脱手段８が設けられている。【００１３】  本発明の人体保護具１は、通常時は、気室内部には空気が充填されていないため、柔軟な布と同様に扱えるため、これを使用するに際しては、カバー体２の開いた部分から軽く首を挿入し、胴衣６に対して着脱手段８にて固定する。仮にカバー体２を保形できる程度に比較的、硬質の材料で形成した場合であれば、略Ｕ字状のカバー体２の中央の開口部を押し広げて首を通して装着し、同様に着脱手段８によりカバー体２を胴衣６に取り付ければ良く、極めて簡単な動作で装着固定が可能である。【００１４】  そして、本発明の実施例では、インフレータ３の起動装置を紐状部材９の牽引により起動される構造としているため、この紐状部材９をオートバイ等の乗り物の適宜個所に固定する。【００１５】  上記の構成により、転倒等をした場合には、紐状部材９によりインフレータ３が起動するので、カバー体２の内部の気室に空気が導入され、これによりカバー体２が膨張して、図４に図示の如く首部周辺を大きく覆うことができる。この際、着脱手段により肩部分に固定されているため、安定した膨張と共に首部分の周囲を十分に覆うことが可能である。【００１６】  図５乃至図７に示された構造は、本発明の第２実施例を示している。この実施例では、着脱手段８は、ヘルメット７の下縁の外周面に設けた凹釦と接合する凸釦等を設けた複数のタブで形成されている。【００１７】  この実施例では、カバー体２はヘルメット７に対して固定されることに成ることから、膨張時にはヘルメット７と一体的に成り、より安全に首部を保護することが可能である。また、肩部分に対しては釦による着脱手段８を設けることもできる。【００１８】  図８乃至図１０に示された構造は、本発明の第３実施例を示している。この実施例では、前記略Ｕ字状の気室及びその気室を覆うカバー体２が二つ以上の積層構造、実施例では���層のカバー体２ａ・２ｂの積層構造で形成されている。これらのカバー体２ａ・２ｂは、相対的位置が変化しないよう、適宜な個所で接合されていることが好ましい。【００１９】  この実施例の特徴は、単に複数のカバー体２で構成されて、複数箇所に亘り首部の周辺を保護するだけではなく、前記上層の気室及びその気室を覆うカバー体２ｂの先端部分、つまり両端部には、顎部を保護する、ゴルフクラブのヘッドの様な鉤形状の突出部２１が形成されていることである。【００２０】  詳細に言えば、前記突出部２１は、上層のＵ字状のカバー体２の先端部から膨出させた気室を有しており、この構造により、夫々の気室の膨張時には、先ず上層のカバー体の両方の突出部２１が、図８の膨張方向Ａのように水平面内でやや回転して相互に接合して顎部を密閉して恰も首部全体を覆う形状となる。【００２１】  更に、前記下層の気室及びその気室を覆うカバー体２ｂは、前記上層の気室及びその気室を覆うカバー体２ａの部分的な下方向への膨張、つまり、突出部２１の膨張により下層の気室及びその気室を覆うカバー体２ｂの端部が下方向に圧縮されるため、これにより、下層の気室及びその気室を覆うカバー体２ｂの圧縮されない、主に首部の後側の他の部分は上方に向けた反力を得ることになることから、首部の周辺を十分に覆うことができる。とりわけ首部の背面側は、実施例に図示した程度の大きさで形成することで頭部に至るように覆うことができ、より保護機能を強めることが可能である。
【発明の効果】
【００２２】本発明の人体保護具は、前述の如く構成したことにより、人体に極めて簡単に装着できると共に、着脱手段によりヘルメットや胴衣と確りと固定されることから安定的に首部周辺が保護される。特に、多層構造としたものに至っては、顎部から頭部の背面側の全体に亘って保護することが可能な、実用性に優れた発明である。
【図面の簡単な説明】
【００２３】
【図１】本発明に係わる第１実施例の人体保護具の正面図
【図２】本発明に係わる第１実施例の人体保護具の裏面図
【図３】本発明に係わる第１実施例の人体保護具の装着状態の説明図
【図４】本発明に係わる第１実施例の人体保護具の膨張時の説明図
【図５】本発明に係わる第１実施例の人体保護具の正面図
【図６】本発明に係わる第２実施例の人体保護具の装着状態の説明図
【図７】本発明に係わる第２実施例の人体保護具の膨張時の説明図
【図８】本発明に係わる第３実施例の人体保護具の正面図
【図９】本発明に係わる第３実施例の人体保護具の膨張時の説明図
【図１０】本発明に係わる第３実施例の人体保護具の膨張時における空気流の状態を示す説明図
【符号の説明】
【００２４】１    人体保護具
２    カバー体
２１  突出部
２ａ  カバー体
２ｂ  カバー体
３    インフレータ
４    チューブ
５    収納部
６    胴衣
７    ヘルメット
８    着脱手段
９    紐状部材
Ａ    膨張方向
【図１】
2006257614.tif 000003
【図２】
2006257614.tif 000004
【図３】
2006257614.tif 000005
【図４】
2006257614.tif 000006
【図５】
2006257614.tif 000007
【図６】
2006257614.tif 000008
【図７】
2006257614.tif 000009
【図８】
2006257614.tif 000010
【図９】
2006257614.tif 000011
【図１０】
2006257614.tif 000012